(57)【要約】【課題】大規模災害時においてもデータセンタを即座に復旧し、業務を再開することが可能なバックアップ方法およびこれに用いられるサーバ内蔵コンテナの提供。【解決手段】通常運用されるデータセンタ１に固定されたサーバ２内のデータおよびプログラムのいずれか一方または両方を、車両４に搭載して移動可能なサーバ内蔵コンテナ３に内蔵されたサーバ５に常時または定期的にバックアップし、データセンタ１が被災した際には、サーバ内蔵コンテナ３を車両４に搭載して移動または移動せずに安全な場所で、サーバ内蔵コンテナ３に内蔵されたサーバ５内のデータおよびプログラムのいずれか一方または両方を用いてデータセンタを即座に復旧することが可能となる。【選択図】図１
2015007901.tif 000002
【特許請求の範囲】
【請求項１】
通常運用されるデータセンタに固定されたサーバ内のデータおよびプログラムのいずれか一方または両方を、車両に搭載して移動可能なサーバ内蔵コンテナに内蔵されたサーバに常時または定期的にバックアップすることを特徴とするバックアップ方法。
【請求項２】
前記固定されたデータセンタが被災した際、前記サーバ内蔵コンテナを移動または移動せずに安全な場所で、前記サーバ内蔵コンテナに内蔵されたサーバ内のデータおよびプログラムのいずれか一方または両方を用いてデータセンタを復旧することを特徴とする請求項１記載のバックアップ方法。
【請求項３】
前記固定されたデータセンタが被災した際、前記サーバ内蔵コンテナを移動または移動せずに安全な場所で、前記サーバ内蔵コンテナを前記データセンタに固定されたサーバに代えて運用することを特徴とする請求項１記載のバックアップ方法。
【請求項４】
前記サーバ内蔵コンテナは、複数の地域に分散して複数配置することを特徴とする請求項１から３のいずれか１項に記載のバックアップ方法。
【請求項５】
通常運用されるデータセンタに固定されたサーバ内のデータおよびプログラムのいずれか一方または両方を、常時または定期的にバックアップするサーバを車両に搭載して移動可能なコンテナに内蔵したサーバ内蔵コンテナ。
【請求項６】
前記サーバ内蔵コンテナに内蔵されたサーバは、前記データセンタに固定されたサーバのクローンである請求項５記載のサーバ内蔵コンテナ。
【発明の詳細な説明】
【技術分野】
【０００１】
本発明は、データセンタに固定されたサーバ内のデータ等のバックアップ方法およびこれに用いられるサーバ内蔵コンテナに関する。
【背景技術】
【０００２】
従来、企業や自治体等の情報処理システムに係るサーバは、データセンタに集約して配置され、一元的に運用管理される場合が多い。しかしながら、このようにサーバが集約して配置されたデータセンタが被災してしまい、電源や通信回線等が遮断されてしまった場合、すべてのサーバが停止し、業務に支障を来すことになる。
【０００３】
また、このような災害時であっても、簡易的・一時的な出張所や移動オフィスなどを簡易・迅速に構築することを目的として、例えば特許文献１に記載のように、貨物輸送用のコンテナにサーバを内蔵したコンテナ型データセンタが開発されている。この種のコンテナ型データセンタは、より簡易的かつ迅速にデータセンタを設置したいというニーズに応えるものである。
【先行技術文献】
【特許文献】
【０００４】
【特許文献１】特開２０１２−２４８０４６号公報
【発明の概要】
【発明が解決しようとする課題】
【０００５】
確かに、上記従来のコンテナ型データセンタによれば、災害時に簡易的かつ迅速に代替となるデータセンタを新たに設置することが可能であるが、業務に必要なサーバのデータは、被災したデータセンタのサーバ内にあり、通常業務に戻るまでに莫大な労力と時間を要することになる。
【０００６】
また、データセンタのサーバのデータは、通常、常時または定期的にバックアップを取るはずであるが、大規模災害などによりデータセンタが被災してしまった場合、バックアップのデータはこの被災したデータセンタ内もしくは近隣や別のデータセンサ内にあるが、データの移行やデータを保存してあるテープの輸送などに時間がかかるため、やはりデータの普及までに様々な障害がある。
【０００７】
そこで、本発明においては、大規模災害時においてもデータセンタを即座に復旧し、業務を再開することが可能なバックアップ方法およびこれに用いられるサーバ内蔵コンテナを提供することを目的とする。
【課題を解決するための手段】
【０００８】
本発明のバックアップ方法は、通常運用されるデータセンタに固定されたサーバ内のデータおよびプログラムのいずれか一方または両方を、車両に搭載して移動可能なサーバ内蔵コンテナに内蔵されたサーバに常時または定期的にバックアップすることを特徴とする。また、本発明のサーバ内蔵コンテナは、通常運用されるデータセンタに固定されたデータおよびプログラムのいずれか一方または両方を、常時または定期的にバックアップするサーバを車両に搭載して移動可能なコンテナに内蔵したものである。
【０００９】
これらの発明によれば、通常運用されるデータセンタに固定されたサーバ内のデータおよびプログラムのいずれか一方または両方は、常時または定期的にサーバ内蔵コンテナに内蔵されたサーバにバックアップされており、このサーバ内蔵コンテナは車両に搭載して移動可能となっているため、データセンタが被災した際には、サーバ内蔵コンテナを車両に搭載して移動または移動せずに安全な場所で、サーバ内蔵コンテナに内蔵されたサーバのデータを用いてデータセンタを即座に復旧することが可能となる。
【００１０】
ここで、サーバ内蔵コンテナに内蔵されたサーバは、データセンタに固定されたサーバのクローンであることが望ましい。バックアップは、データセンタに固定されたサーバの復旧に必要なデータのみとすることも可能であるが、データセンタに固定されたサーバのクローンとすることで、データセンタが被災した際、サーバ内蔵コンテナを移動または移動せずに安全な場所で、サーバ内蔵コンテナをデータセンタに固定されたサーバに代えて運用することが可能となる。
【００１１】
また、サーバ内蔵コンテナは、複数の地域に分散して複数配置することが望ましい。これにより、災害発生時にサーバ内蔵コンテナまでもが被災することを防止することができ、災害発生時には複数配置されたサーバ内蔵コンテナを車両に搭載して移動または移動せずに安全な場所で、いずれかのサーバ内蔵コンテナに内蔵されたサーバによりデータセンタをいち早く復旧することが可能となる。
【発明の効果】
【００１２】
（１）通常運用されるデータセンタに固定されたサーバ内のデータおよびプログラムのいずれか一方または両方を、車両に搭載して移動可能なサーバ内蔵コンテナに内蔵されたサーバに常時または定期的にバックアップすることにより、サーバ内蔵コンテナに内蔵されたサーバのデータを用いてデータセンタを即座に復旧することが可能となり、大規模災害時においてもデータセンタを即座に復旧し、業務を再開することが可能となる。
【００１３】
（２）サーバ内蔵コンテナに内蔵されたサーバが、データセンタに固定されたサーバのクローンであることにより、データセンタが被災した際、サーバ内蔵コンテナを移動または移動せずに安全な場所で、サーバ内蔵コンテナをデータセンタに固定されたサーバに代えて即座に運用することが可能となり、より早く業務を再開することが可能となる。
【００１４】
（３）サーバ内蔵コンテナが複数の地域に分散して複数配置されることにより、災害発生時にサーバ内蔵コンテナまでもが被災することを防止することができ、災害発生時には複数配置されたサーバ内蔵コンテナを車両に搭載して移動または移動せずに安全な場所で、いずれかのサーバ内蔵コンテナに内蔵されたサーバによりデータセンタをいち早く復旧し、業務を再開することが可能となる。
【図面の簡単な説明】
【００１５】
【図１】本発明の実施の形態におけるバックアップシステムの全体構成を示す説明図である。
【図２】図１のサーバ内蔵コンテナの詳細構成を示す平面図である。
【図３】図１のサーバ内蔵コンテナ内の正面図である。
【図４】図１のサーバ内蔵コンテナの空調設備の詳細構成を示す正面図である。
【発明を実施するための形態】
【００１６】
図１は本発明の実施の形態におけるバックアップシステムの全体構成を示す説明図である。図１において、本発明の実施の形態におけるバックアップシステムは、通常運用される企業や自治体等の情報処理システムに係るサーバ２が集約されたデータセンタ１と、トラック等の車両４やヘリコプター（図示せず。）に搭載して移動可能なサーバ内蔵コンテナ３とから構成される。データセンタ１のサーバ２は据え置き型であり、データセンタ１内に固定されている。
【００１７】
サーバ内蔵コンテナ３は、貨物輸送用のコンテナにサーバ５等を内蔵したものである。サーバ５は、データセンタ１に固定されたサーバ２内のデータおよびプログラムのいずれか一方または両方を常時または定期的にバックアップするものである。サーバ内蔵コンテナ３は、データセンタ１と同じ場所に載置したり、他の地域に載置したり、複数の地域に分散して複数配置したりすることも可能であるが、いつでもトラック等の車両４やヘリコプターに搭載して移動することが可能となっている。
【００１８】
図２は図１のサーバ内蔵コンテナの詳細構成を示す平面図、図３はサーバ内蔵コンテナ内の正面図、図４は図１のサーバ内蔵コンテナの空調設備の詳細構成を示す正面図である。
【００１９】
図２および図３に示すように、サーバ内蔵コンテナ３は、隔壁１０によって、外気と遮断される密閉室１１と、外気に開放された開放室１２とに区分されている。密閉室１１には、ネット部材で構成されたサーバラック１３と、冷房設備の室内機１４とが設けられている。サーバ５は、サーバラック１３内に収納されている。また、サーバラック１３には、ルータ、スイッチや無停電電源装置（ＵＰＳ）等が収納される。
【００２０】
室内機１４の吹き出し口１４ａは、サーバラック１３の上部に向けて設けられている。室内機１４の吹き出し口１４ａから吹き出された冷気は、ネット部材で構成されたサーバラック１３を上方から下方へ吹き抜け、下方から室内機１４に回収するようになっており、サーバラック１３に収納されたサーバ５を効率良く冷却することが可能となっている。
【００２１】
また、開放室１２には、キュービクル、配電盤や動力盤等により構成される電源設備１５と、冷房設備の室外機１６と、密閉室１１内の気圧を調整するための外気ユニット１７と、密閉室１１内の湿度を調整するための加湿ユニット１８とが設けられている。
【００２２】
外気ユニット１７は、図４に示すように、塵埃を取り除くプレフィルタ１９と、塩害防止機能付きの塩害防止型フィルタ２０と、送風機２１とを備えている。外気ユニット１７によって清浄化した外気を、隔壁１０に設けられた送気口１０ａより密閉室１１内に取り入れて、密閉室１１内を外気圧より高めに設定することで、防塵効果を高めている。
【００２３】
加湿ユニット１８は、加湿器２２と、加湿器２２に水を供給する水タンク２３、送風機２４とを備えている。隔壁１０には、加湿器２２によって加湿することにより湿度を調整した空気を送風機２４によって密閉室１１内に送り込む送気口１０ｂと、密閉室１１内から空気を取り込む吸気口１０ｃとが設けられている。送気口１０ｂおよび吸気口１０ｃは、密閉室１１内の気圧を調整し、密閉室１１内を外気圧より高めに維持することが可能となっている。以上の構成により、密閉室１１内の温度を２０〜２７℃、湿度を４０〜７０％に保つようになっている。
【００２４】
なお、サーバ内蔵コンテナ３に収納されたサーバ５や冷房設備等の稼働に必要な電力は、サーバ内蔵コンテナ３の移動先で商用電源やバッテリ等の外部電源を、電源設備１５に接続することにより供給される。また、サーバ内蔵コンテナ３の天井や側面に太陽電池パネルを設けて、自家発電することも可能である。さらに、発電機付きエンジンを設け、エンジンを駆動して電源を確保することも可能である。
【００２５】
上記構成のバックアップシステムでは、通常運用される企業や自治体等のデータセンタ１に固定されたサーバ２内のデータおよびプログラムのいずれか一方または両方は、常時または定期的にサーバ内蔵コンテナ３に内蔵されたサーバ５にバックアップされており、このサーバ内蔵コンテナ３は車両４に搭載して移動可能となっているため、データセンタ１が被災した際には、サーバ内蔵コンテナ３を車両４に搭載して移動または移動せずに安全な場所で、サーバ内蔵コンテナ３に内蔵されたサーバ５内のデータおよびプログラムのいずれか一方または両方を用いてデータセンタを即座に復旧することが可能であり、大規模災害時においてもデータセンタを即座に復旧し、業務を再開することが可能である。
【００２６】
また、バックアップは、データセンタ１の固定されたサーバ２の復旧に必要なデータおよびプログラムのいずれか一方または両方とすることも可能であるが、データセンタ１の固定されたサーバ２のクローンとすることも可能である。この場合、データセンタ１が被災した際、サーバ内蔵コンテナ３を移動または移動せずに安全な場所で、サーバ内蔵コンテナ３をデータセンタ１の固定されたサーバ２に代えて即座に運用することが可能となり、より早く業務を再開することが可能となる。
【００２７】
また、サーバ内蔵コンテナ３は、複数の地域に分散して複数配置することが可能である。この場合、災害発生時にサーバ内蔵コンテナ３までもが被災することを防止することができ、災害発生時には複数配置されたサーバ内蔵コンテナ３を車両４に搭載して移動または移動せずに安全な場所で、いずれかのサーバ内蔵コンテナ３に内蔵されたサーバ５によりデータセンタをいち早く復旧することが可能となる。
【産業上の利用可能性】
【００２８】
本発明のバックアップ方法およびサーバ内蔵コンテナは、大規模災害時においてもデータセンタを即座に復旧し、業務を再開することが可能なバックアップ方法およびこれに用いられるサーバ内蔵コンテナとして有用である。
【符号の説明】
【００２９】
１  データセンタ
２，５  サーバ
３  サーバ内蔵コンテナ
４  車両
１０  隔壁
１０ａ，１０ｂ  送気口
１０ｃ  吸気口
１１  密閉室
１２  開放室
１３  サーバラック
１４  室内機
１４ａ  吹き出し口
１５  電源設備
１６  室外機
１７  外気ユニット
１８  加湿ユニット
１９  プレフィルタ
２０  塩害防止型フィルタ
２１，２４  送風機
２２  加湿器
２３  水タンク
【図１】
2015007901.tif 000003
【図２】
2015007901.tif 000004
【図３】
2015007901.tif 000005
【図４】
2015007901.tif 000006